(57)【要約】【課題】最小単位のシステムの費用が安く、小さなエリアにも設置することができ、また通報者に確実に安心感を与えるとともに、害を与えようとする者（賊）に対する威嚇効果が高い緊急警報システムを提供することにある。【解決手段】警報装置１Ａ又は１Ｂの押釦スイッチ３０の押操作があると制御部２は警報用発光部４を点灯（若しくは点滅）させ、音声発生部５のスピーカ５２からは音声合成回路部５０から出力される合成音声信号による音声を発生させ、また撮影装置９Ａ，９Ｃ又は９Ｂ，９Ｃの撮影カメラの撮影方向を所定のエリアに向けさせ、且つ望遠側に画角を設定して撮影させ、その映像と押釦操作時刻とを画像記憶装置１２に記録させる。【選択図】図１
2005235083.tif 000002
【特許請求の範囲】
【請求項１】
警報用発光手段、音声発生手段、音声記憶手段、押釦スイッチ、信号出力手段を備えるとともに、前記押釦スイッチの押操作が検知されると、前記警報用発光手段を点灯若しくは点滅させ、音声発生手段から音声記憶手段で予め記憶させている内容の音声を発生させ、前記信号出力手段から外部へ信号を出力させる制御手段を備えた警報装置と、
該警報装置の前記信号出力手段からの信号によって動作する外部機器とから成ることを特徴とする緊急警報システム
【請求項２】
前記外部機器は撮影装置であって、該撮影装置には、前記警報装置からの信号を受けると、警報装置の設置場所近辺のエリアに撮影カメラの撮影方向を設定するとともに、前記警報装置の近辺を拡大撮影できるように画角を設定する機能を備えていることを特徴とする請求項１記載の緊急警報システム
【請求項３】
前記外部機器として、前記撮影装置で撮影される映像を録画する画像記憶装置を備え、この画像記憶装置は警報装置からの信号を受け取ると、その時刻を録画映像に記録する機能を備えていることを特徴とする請求項２記載の緊急警報システム。
【請求項４】
前記警報装置には前記押釦スイッチに並列的に接続される連動端子部を設けて他の警報装置の連動端子部同士を信号線により並列接続可能とし、前記制御手段は前記押釦スイッチの両端間が閉じられたときに前記押操作を検知する機能を備えていることを特徴とする請求項１乃至３の何れか記載の緊急警報システム。
【請求項５】
前記警報装置は前記発光手段を装置本体の上部に露設し、装置本体の前面に露設される押釦スイッチの押釦の位置と、前記発光手段の中心位置との間の距離を略４０ｃｍとするとともに、装置本体の高さ寸法を略５０ｃｍ〜略６０ｃｍとしていることを特徴とする請求項１乃至４の何れか記載の緊急警報システム。
【発明の詳細な説明】
【技術分野】
【０００１】
本発明は、緊急警報システムに関するものである。
【背景技術】
【０００２】
近年、学校等に不審者が侵入して児童等を傷つけたりする事件が起きたり、街路等においても、ストーカー、ひったくり、痴漢等による被害が増加している。このような事件や、被害に遭わないために、緊急通報が行えるシステムが街路等に設置されるようになってきた（例えば特許文献１）。
【特許文献１】特開２００３−２５６９６１号公報（図１）
【発明の開示】
【発明が解決しようとする課題】
【０００３】
ところで、特許文献１に示される緊急通報システムは、街路に設置される複数の緊急通報塔と、各緊急通報塔を通信回線を介して接続し、緊急通報塔の監視カメラで撮影され画像のデータを収集したり、緊急通報に対応した処理が為されるセンタ装置とから構成されているもので、画像データ等の大容量データをセンタ装置へ高速に伝送するために専用の通信回線（光ファイバーや無線通信回線）を使用することから、高価なシステムとなっており、設置されるエリアが限られるという問題があった。また緊急通報塔では通報時に警報用発光部を点灯、点滅させることができるものの、通報者（特に児童等）に確実に動作したことを知らせてより安心感を与えるとともに、害を与えようとする者（賊）に威嚇する効果が低かった。
【０００４】
本発明は、上記の点に鑑みて為されたもので、その目的とするところは、最小単位のシステムの費用が安く、小さなエリアにも設置することができ、また通報者に確実に安心感を与えるとともに、害を与えようとする者（賊）に対する威嚇効果が高い緊急警報システムを提供することにある。
【課題を解決するための手段】
【０００５】
上述の目的を達成するために、請求項１の発明では、警報用発光手段、音声発生手段、音声記憶手段、押釦スイッチ、信号出力手段を備えるとともに、前記押釦スイッチの押操作が検知されると、前記警報用発光手段を点灯若しくは点滅させ、音声発生手段から音声記憶手段で予め記憶させている内容の音声を発生させ、前記信号出力手段から外部へ信号を出力させる制御手段を備えた警報装置と、該警報装置の前記信号出力手段からの信号によって動作する外部機器とから成ることを特徴とする。
【０００６】
請求項１の発明によれば、データ伝送の通信線が必要ないので、１台の警報装置と外部機器とを組み合わせるような最小単位のシステムを構築してもその費用が安く、小さなエリアにも設置することが可能となり、しかも音声発生手段から発する音声及び警報用発光手段の点灯若しくは点滅により押釦スイッチを操作した押釦操作者には警報装置が動作したことを示して安心感を与え、害を与えようとする者（賊）には恐怖感を与えたり、威嚇することができるものであり、しかも外部機器を動作させることで、多機能化が図れる。
【０００７】
請求項２の発明では、請求項１の発明において、前記外部機器が撮影装置であって、該撮影装置には、前記警報装置からの信号を受けると、警報装置の設置場所近辺のエリアに撮影カメラの撮影方向を設定するとともに、前記警報装置の近辺を拡大撮影できるように画角を設定する機能を備えていることを特徴とする。
【０００８】
請求項２の発明によれば、警報装置で押釦スイッチの操作があると、当該警報装置の近辺のエリアを拡大撮影した映像を得ることができ、管理人室等において状況をモニタすることが容易となる。
【０００９】
請求項３の発明では、請求項２の発明において、前記外部機器として、前記撮影装置で撮影される映像を録画する画像記憶装置を備え、この画像記憶装置は警報装置からの信号を受け取ると、その時刻を録画映像に記録する機能を備えていることを特徴とする。
【００１０】
請求項３の発明によれば、警報装置で押釦スイッチの操作があると、当該警報装置の近辺のエリアを拡大撮影した映像を録画でき、またその時刻も記録できるので、状況の確認や後日の警察捜査等に役立つとともに、悪戯防止にも有効となり、また通信線を用いて画像データの伝送を行う必要もないため、システムの構築コストも安価となり、小規模施設などにも容易に設置できる。
【００１１】
請求項４の発明では、請求項１乃至３の何れかの発明において、前記警報装置には前記押釦スイッチに並列的に接続される連動端子部を設けて他の警報装置の連動端子部同士を信号線により並列接続可能とし、前記制御手段は前記押釦スイッチの両端間が閉じられたときに前記押操作を検知する機能を備えていることを特徴とする。
【００１２】
請求項４の発明によれば、複数の警報装置を連動させることができ、特に特別なネットワークを用いる必要がないため、大きなエリアでの設置も安価にできる。
【００１３】
請求項５の発明では、請求項１乃至４の何れかの発明において、前記警報装置は前記発光手段を装置本体の上部に露設し、装置本体の前面に露設される押釦スイッチの押釦の位置と、前記発光手段の中心位置との間の距離を略４０ｃｍとするとともに、装置本体の高さ寸法を略５０ｃｍ〜略６０ｃｍとしているので、小学校のように子供を対象とする場所や、或いは大人や子供が混在する場所、更には大人のみが対象となる場所においても、警報装置本体の機能を損なうことなく使用することができる。
【発明の効果】
【００１４】
本発明は、音声発生手段から発する音声及び警報用発光手段の点灯若しくは点滅により押釦スイッチを操作した押釦操作者には警報装置が動作したことを示して安心感を与え、害を与えようとする者（賊）には恐怖感を与えたり、威嚇することができるものであり、しかも外部機器を動作させることで、多機能化が図れるという効果がある。
【発明を実施するための最良の形態】
【００１５】
以下本発明を実施形態により説明する。
【００１６】
（実施形態１）
図１は本実施形態のシステム構成を、図２は本発明の緊急警報システムの中核をなす警報装置１の構成をそれぞれ示している。
【００１７】
システムの中核となる警報装置１は、マイクロコンピュータからなる制御手段を構成する制御部２と、押釦部３と、発光ダイオード群を光源とする警報用発光手段たる警報用発光部４と、通報者に安心感を、また害を与えようとする者（以下賊という）に対して恐怖感を与えたり、威嚇する内容の音声を発生させる音声発生部５と、信号出力手段を構成し、外部へ無電圧出力としてリレー接点出力を出力するリレー回路部６と、商用電源ＡＣを直流に変換して各部に動作電源電圧＋Ｖを与えるための電源部７を備えたものである。
【００１８】
押釦部３は、押釦スイッチ３０と、押釦スイッチ３０の釦部を照光するための照光用発光ダイオード３１とで構成されており、押釦スイッチ３０は一端が抵抗Ｒ１を介して電源部のプラス極（＋Ｖ）に接続されるとともに、制御部２の入力ポートＩ１に接続され、他端がダイオードＤ１を介してグランド（電源部のマイナス極）に接続されている。また照光用発光ダイオード３１は抵抗Ｒ２を介して電源部に接続され、常時点灯するようになっている。また前記押釦スイッチ３０とダイオードＤ１の直列回路は、連動端子Ｔ１，Ｔ２間に接続されている。この連動端子Ｔ１、Ｔ２は別の警報装置１に同様に設けられた連動端子部Ｔの＋端子Ｔ１、−端子Ｔ２に信号線８（図７参照）を介して並列接続されるようになっている。つまり各警報装置１に設けられている押釦部３の押釦スイッチ３０とダイオードＤ１の直列回路が互いに並列接続されるようになっている。
【００１９】
警報用発光部４は発光ダイオード群から構成され、制御部２の出力ポートＯ１から制御信号が出力されると、内部のドライブ回路（図示せず）が動作して発光ダイオード群を点灯させるようになっている。ここで制御部２は信号出力手段として機能する。
【００２０】
音声発生部５は、音声記憶手段である音声合成回路部５０と、音声発生手段を構成するパワーアンプ部５１及びスピーカ５２とで構成され、音声合成回路部５０は動作時にスピーカ５２から発生させる音声内容に対応した音声合成信号を生成するもので、制御部２の出力ポートＯ２、Ｏ３からの制御信号があると、音声合成回路部５０とパワーアンプ部５１の内蔵電源レギュレータが動作を開始し、音声合成回路部５０は予め登録設定されている音声内容に対応した音声合成信号をパワーアンプ部５１へ出力し、パワーアンプ部５１は音声合成信号を増幅してその増幅出力でスピーカ５２を駆動し、スピーカ５２から所定の内容の音声を繰り返して発生させるようになっている。また制御部２の内蔵タイマの働きにより一定時間経過時に制御信号の入力が無くなるとパワーアンプ部５１及び音声合成回路部５０は動作を停止するようになっている。
【００２１】
リレー回路部６は複数のリレー（図示せず）とＦＥＴなどのスイッチング素子を用いたドライブ回路（図示せず）とを備え、制御部２の出力ポートＯ４からの制御信号が入力するとリレーを駆動して対応するリレー接点ｒをオン又はオフするもので、リレー接点ｒのオン／オフにより無電圧接点出力が外部へ出力される。
【００２２】
ところで本実施形態における警報装置１は、押釦操作者には警報機が動作したことが光及び音声により確実にわかって安心感を与え、賊には反対に機器動作により恐怖感を与えることができるように次のような条件の下で装置本体の外観形状を定めている。
【００２３】
つまり警報装置１を用いる本発明緊急警報システムが小学校の構内に設置された場合、押釦操作者は子供Ｍ１やＭ６であるため、図３に示すように地面から押釦スイッチ３０までの高さは略９０ｃｍ程度が望ましい。尚図３は説明のために用いるため人物の寸法比率は正確ではない。
【００２４】
一方小学１年生の子供Ｍ１の平均身長は略１２０ｃｍ、目線の高さ位置は略１１０ｃｍであり、他方小学６年生の子供Ｍ６の平均身長は略１４０ｃｍ、目線の高さ位置は略１３０ｃｍで、押釦スイッチ３０と立位置までの距離は略３７ｃｍ、注視安定視野は上下略３０度であるので、小学１年生の子供Ｍ１では、警報装置１の装置本体に設けられる警報用発光部４の位置は地面からの高さが略９０ｃｍ〜略１３０ｃｍにある必要がある。一方小学６年生の子供Ｍ６では押釦スイッチ３０の高さ位置から略１３０ｃｍ＋２０ｃｍ＝略１５０ｃｍまで範囲で、警報用発光部４が配置される必要がある。従って小学生１年の子供Ｍ１から６年生の子供Ｍ６が自然に警報用発光部４が目に入るためには、警報用発光部４の高さ位置は略９０ｃｍ〜略１３０ｃｍの範囲にある必要がある。
【００２５】
とこで、賊に恐怖感を与えたり、威嚇するためには、警報用発光部４の光が賊の目にも入る必要がある。
【００２６】
つまり図４に示すように例えば小学６年生の子供Ｍ６が押釦操作者とすると、賊の目に光が入るためには、当該子供Ｍの頭Ｈ以上の高さに警報用発光部４が配置されている必要があるので、警報用発光部４の高さ位置として略１４０ｃｍ以上必要とする。
従って、全体としてコンパクトな警報装置１を考慮して装置本体上部に露設する警報用発光部４の全高を略２０ｃｍとし、押釦スイッチ３０の高さ位置を略９０ｃｍとした場合、警報用発光部４分の中心位置の高さ位置は略１３０ｃｍの位置が良い。つまり押釦スイッチ３０の位置より略４０ｃｍ上方に中心位置が存在し、１４０ｃｍの子供Ｍ６の頭部Ｈ程度が警報用発光部４の上端部位の位置となる。
【００２７】
上記の場合はシステムの設置場所が小学校の構内を想定したが、大人も子供も押釦操作できるような場所に設置された場合には、押釦スイッチ３０の高さ位置が、略１００ｃｍと設定されることが想定される。つまり警察仕様の子供緊急通報装置の釦高さ位置が１００ｃｍと規定されている関係上、略１００ｃｍとされるのである。
【００２８】
一方日本人の大人の平均身長が図５に示すように略１６０ｃｍ、目線高さは略１５０ｃｍであるため、図４に示すように警報用発光部４を略１３０ｃｍ〜１５０ｃｍの高さ位置に配置する必要がある。この場合押釦操作した大人Ｍ０では略目線位置が１５０ｃｍであるため、警報用発光部４の光が自然に目に入ることになる。他方押釦操作した者が小学１年生の子供Ｍ１の場合には、目線の高さ位置が上述したように１１０ｃｍであって、注視安定視野が上下略３０度であるの、略１１０ｃｍ＋２０ｃｍ＝略１３０ｃｍの高さ位置に警報用発光部４が配置されてた場合には、警報用発光部４の光がぎりぎり目に入ることになる。
【００２９】
次に賊に対しては、押釦操作者が小学１年生の子供Ｍ１の場合には、子供Ｍ１の頭部Ｈ位置より警報用発光部４が上方にはみ出すため十分警報用発光部４の光が目に入ることになる。また押釦操作者が大人Ｍ０の場合は、図５の斜線部分から光を見ることができる。
【００３０】
更に大人Ｍ０だけが押釦操作するような場所に設置された場合では、押釦スイッチ３０の高さ位置は子供Ｍ１を配慮しなくても良いので、略１３０ｃｍと設定されること想定される。この高さは壁スイッチの高さの一般的な高さ位置である。
【００３１】
この場合、図６に示すように警報用発光部４は大人Ｍ０の平均身長より以上、つまり略１６０ｃｍ〜１８０ｃｍ高さに配置されることいになり、押釦操作した大人Ｍ０は略目線位置が１５０ｃｍ高さであるので、警報用発光部４の光が自然に目に入る。
【００３２】
一方賊に対しては、押釦操作者が大人Ｍ０の頭Ｈよりも上方に位置する警報用発光部４から警報用発光部４の光を見ることになる。
【００３３】
以上の条件を満足させるために、警報用発光部４の全高を略２０ｃｍ、その位置よりも下方略３０ｃｍの位置に押釦スイッチ３０の押釦を配置できる高さ寸法（５０ｃｍ）さえあれば、上記の各場所での設置に対応できる警報装置１を提供することができる。従ってコンパクト化と寸法的な余裕とを鑑みて、本実施形態の警報装置１の高さ寸法は略６０ｃｍとしてある。
【００３４】
さて本実施形態の緊急警報システムは図１に示すように２台の警報装置１Ａ，１Ｂを用いたシステムであって、一方の警報装置１Ａを設置したエリアに対応した撮影方向が設定できるドーム状の撮影装置９Ａと、他方の警報装置１にエリアに対応した撮影方向が設定できるドーム状の撮影装置９Ｂと、両警報装置１の何れのエリアにも撮影方向を対応させるができるドーム状の撮影装置９Ｃと、各設置エリアに設けた威嚇用照明装置１０Ａ．１０Ｂと、撮影装置９Ａ〜９Ｃから出力されるコンポジットの映像信号を、カメラ駆動ユニット１１を介して取り込んで録画する画像記録装置１２と、各警報装置１の押釦スイッチ無電圧接点出力を入力し、それぞれの無電圧接点出力に応じてリレー制御盤１４Ａ又は１４Ｂを動作させる個別警報出力を発生させ、リレー制御盤１４Ａ又は１４Ｂから撮影装置９Ａ，９Ｃ又は９Ｂ，９ＣとＨＩＤランプを使用している威嚇用照明装置１０Ａ又は１０Ｂへ制御信号として接点出力を出力させる機能と、同時に代表警報出力を画像記録装置１２の制御信号として出力する防犯受信機１３と、上記リレー制御盤１４Ａ，１４Ｂとで構成される。防犯受信機１３は防犯センサからの無電圧接点出力を取り込む既存の防犯受信機からなる。
【００３５】
ここで、撮影装置９Ａ〜９Ｃは外部からの制御信号を取り込む複数の信号入力端が設けられ、それぞれの信号入力端に対応して制御信号が入力した場合に、内蔵する撮影カメラの撮影方向（パン及びチルト方向）と画角を予めプリセット装置１５により設定できる既存の所謂ドームカメラから構成され、動作用直流電源はカメラ駆動ユニット１１からケーブル１６を介して、また映像信号はケーブル１６の直流電源電圧に重畳する形で画像記録装置１２へ送るようになっている。
【００３６】
撮影装置９Ａは通常時には警報装置１Ａの設置エリアを含めた広い範囲が撮影できるように画角を設定し、リレー制御盤１４Ａからの接点出力がオンとなると、警報装置１Ａの設置エリアを大きく撮影できるように望遠方向にズーミングして画角を狭くするとともに、撮影方向を設定するようなっている。また撮影装置９Ｂは撮影装置９Ａと同様に通常時には警報装置１Ｂの設置エリアを含めた広い範囲が撮影できるように画角を設定し、リレー制御盤１４Ｂからの接点出力がオンとなると、警報装置１Ｂの設置エリアを大きく撮影できるように望遠方向にズーミングして画角を狭くするとともに、撮影方向を設定するようなっている。
【００３７】
一方共用の撮影装置９Ｃは通常時には警報装置１Ａ、１Ｂの設置エリアを含めた広い範囲或いは特定の範囲が撮影できるように画角を設定し、リレー制御盤１４Ａからの接点出力がオンとなると、警報装置１Ａの設置エリアを大きく撮影できるように望遠方向にズーミングして画角を狭くするとともに、撮影方向を設定し、リレー制御盤１４Ｂからの接点出力がオンとなると、警報装置１Ｂの設置エリアを大きく撮影できるように望遠方向にズーミングして画角を狭くするとともに、撮影方向を設定するようなっている。
【００３８】
そして通常時には何れの撮影装置９Ａ〜９Ｃからの映像信号が画像記録装置１２へカメラ駆動ユニット１１を介して送られ、画像記録装置１２はそれぞれの映像信号に基づいて撮影装置９Ａ〜９Ｃ毎に例えば１週間、一ヶ月というような長い期間に亘り連続的に且つエンドレスに録画するようなっている。一方代表警報出力が防犯受信機１３から入力すると、画像記録装置１２はリレー制御盤１４Ａ又は１４Ｂからの接点出力がオンとなった撮影装置９Ａ又は９Ｂの映像信号の録画画像上に代表警報出力が入力された時刻などを書き込む処理を行うようになっている。
【００３９】
而して警報装置１Ａ又は１Ｂの押釦スイッチ３０が押し操作されると、押釦部３では押釦スイッチ３０、ダイオードＤ１を通じて制御部１の入力ポートＩ１を”Ｌ”レベルとする。制御部２は入力ポートＩ１が”Ｌ”レベルとなると、押釦スイッチ３０が押し操作されたと判断し、出力ポートＯ１を”Ｌ”レベルとする。これにより警報用発光部４はドライバ回路（図示せず）がオン動作して発光ダイオード群に発光電流を流れ、点灯（点滅）を開始する。同時に出力ポートＯ２から音声発生部５の音声合成回路部５０へ制御信号を、また出力ポートＯ３からパワーアンプ部５１に制御信号を出力し、それぞれを起動させる。
【００４０】
音声合成回路部５０は起動すると予め設定されている音声内容に対応した音声合成信号をパワーアンプ部５１へ出力する。パワーアンプ部５１は内蔵電源レギュレータが起動すると、音声合成信号を増幅し、その増幅出力でスピーカ４２から、押釦操作者には安心感を与え、賊には恐怖感を与えたり威嚇する内容の音声を発生させる。
【００４１】
また制御部１は出力ポートＯ４よりリレー回路部６に制御信号を出力し、リレー回路部６はスイッチング素子（図示せず）をオンさせてリレー（図示せず）を駆動させ、リレー接点ｒをオンする。このリレー接点ｒの一つを接続している防犯受信機１３は警報装置１Ａ又は１Ｂのリレー接点ｒのオンに応じてリレー制御盤１４Ａ又は１４Ｂに個別警報出力を出力するとともに、代表警報出力を画像記憶装置１２へ出力する。
【００４２】
リレー制御盤１４Ａ又は１４Ｂは内蔵するリレーを駆動してそのリレー接点出力をオンする。このリレー接点出力は撮影装置９Ａ又は９Ｂと撮影装置９Ｃ及び対応する威嚇用照明装置１０Ａ又は１０Ｂに送られる。これにより撮影装置９Ａ又は９Ｂと撮影装置９Ｃはリレー接点出力に対応して予めプリセットされている撮影方向及び画角となるように撮影カメラ（図示せず）を制御する。つまり撮影方向を押釦操作があった警報装置１Ａ又は１Ｂに向け、また押釦操作者及び賊の状況を鮮明に捉えることができる画角となるようにズーミングさせる。また威嚇用照明装置１０Ａ又は１０Ｂは警報装置１Ａ又は１Ｂが設置されているエリアに対して光を照射して賊を威嚇する。勿論この光は夜間の撮影用の照明としても機能する。
【００４３】
一方画像記録装置１２は、代表警報出力が入力すると、その時刻を録画している映像に書き込む処理を行い、後で録画した映像を再生した際に押釦操作のあった時刻の確認ができるようにする。また録画によって押釦操作の確認に役立つ上に、事後捜査に効果を発揮する。また悪戯防止にも役立つ。
【００４４】
ここで上述のスピーカ４２により発する音声の内容は、本実施形態の如く撮影装置連動のシステムに対応して、初めの数回においては、「カメラで撮影しています」と言う内容とし、その後に「非常釦が押されました」と言う内容に切り替えるようになっている。
【００４５】
更に防犯受信機１３に接続されている場合には、上記の内容以外に例えば初めの数回においては、「管理事務所に通報しました」という内容とし、その後に、「非常釦が押されました」という内容に切り替えるようにしても良い。つまり動作初期では押釦操作者や賊に対しての警報装置（及びシステム）が動作したことを音声で報知し、更にある程度時間が経過すると、周りの人への出来事を周知することに重きを置く内容としている。
【００４６】
このようにしてスピーカ５２から発せられる音声や、警報用発光部４の点灯（点滅）、威嚇用照明装置により押釦操作者には警報装置１（及びシステム）が動作したという安心感を与え、賊には恐怖感を与えたり、威嚇することになる。
【００４７】
尚設置場所が学校内であって、防犯受信機１３が接続されている場合には、初めの数回においては、上述「管理事務所に通報しました」に替えて「職員室に通報しました」という内容とし、その後は、「非常釦が押されました」という内容の音声を発するようにしても良い。以上のような音声の内容は設置場所に応じて音声合成回路部５０に予め登録することで対処できるようになっている。
【００４８】
さて押釦操作から一定時間経過すると、制御部２の内蔵タイマ機能により制御部２からの制御信号の出力が無くなり、音声合成回路部５０及びパワーアンプ部５１の動作は自動的に停止する。またリレー回路部６のリレー接点ｒも上記内蔵タイマ機能により上記の一定時間経過時にオフし、防犯受信機１３からの個別警報出力及び代表警報出力を停止させるようなっている。この停止により撮影装置９Ａ又は９Ｂと撮影装置９Ｃは元の状態に戻り、画像記録装置１２は通常の録画動作に戻ることになる。ここで各撮影装置９Ａ〜９Ｃの撮影カメラは、通常状態においては全てのエリアをカバーするためにそれぞれが一定の向きに撮影方向が設定されているため、賊が逃走しようとしている姿が録画されることが期待できる。
【００４９】
（実施形態２）
実施形態１の緊急警報システムは、各警報装置１Ａ，１Ｂの個別動作に対応したものであったが、本実施形態の緊急警報システムは図７に示すように複数の警報装置１Ａ…１Ｎを設置し、何れかの警報装置で押釦操作があると、他の警報装置も連動動作させるものであり、各警報装置１Ａ…１Ｎの連動端子部Ｔを信号線８を介して並列に接続してある。また各警報装置１Ａ…１Ｎのリレー回路部６の各リレー接点ｒを、それぞれの設置エリアに対応して設けてある撮影装置９Ａ…９Ｎ及び威嚇用照明装置１０Ａ…１０Ｎ及び表示灯１７Ａ…１７Ｎのオン／オフ信号としてそれぞれに接続してある。
【００５０】
画像記録装置１２は各撮影装置９Ａ…９Ｎからの映像信号をケーブル１６を介して受け取って実施形態１と同様に常時録画動作を行っているもので、押釦操作時の動作のトリガとなる信号は設置場所に最も近い場所にある警報装置、例えば１Ａのリレー接点ｒのオン信号を用いる。つまりこのリレー接点ｒのオン信号が実施形態１での代表警報出力に相当する。尚各撮影装置９Ａ…９Ｎはそれぞれに対応して設けた電源装置（図示せず）から電源供給を受けるようになっている。
【００５１】
而して本実施形態では、何れかの警報装置、例えば１Ａの押釦スイッチ３０が押し操作されると、信号線８を介して残りの警報装置１Ｂ…１Ｎの押釦スイッチ３０とダイオードＤ１の直列回路が短絡された状態となり、そのためそれぞれの制御部２の入力ポートＩ１は”Ｌ”レベルとなる。
【００５２】
従って各警報装置１Ａ…１Ｎの制御部２はそれぞれの音声発生部５及びリレー回路部６、警報用発光部４を動作させる。本実施形態ではリレー回路部６のリレー接点ｒに直接撮影装置１Ａ…１Ｎ、威嚇用照明装置１０Ａ…１０Ｎ及び表示灯１７Ａ…１７Ｎが接続されているので、それぞれはリレー接点ｒがオンになると動作を開始する。撮影装置１Ａ…１Ｎは撮影カメラの撮影方向を対応する警報装置１Ａ…１Ｎを設置エリアに向け、画角を望遠側となるようにズーミングさせ、押釦通報者や賊を拡大撮影する。一方画像記憶装置１２は、警報装置１Ａのリレー接点ｒのオン信号を受け、押釦操作があった時刻を実施形態１の場合と同様に録画映像に記録する。また警報装置１Ａ…１Ｎでの音声発生部５、警報用発光部４の動作は実施形態１と同じように動作する。ここで本実施形態の場合、音声発生部５のスピーカ５２から発せられる音声の内容は、初めの数回においては、「他警報装置も動作を開始しました」と言う内容の音声を発し、その後に、「非常釦が押されました」と言う内容の音声を発するようになっている。
【００５３】
従って威嚇用照明装置１０Ａ…１０Ｎの点灯や表示灯１７Ａ…１７Ｎの点灯とあわさって、押釦操作者には安心感を与え、また賊には恐怖感を与えるとともに威嚇することになる。尚表示灯１７Ａ…１７Ｎは、警報装置１Ａ…１Ｎとは別の位置で且つ高所に設置されているため、遠方への通知を可能としている、
一方警報装置１Ａ…１Ｎでの音声発生部５、警報用発光部４の動作は実施形態１と同じように動作する。
【００５４】
さて押釦操作後、一定時間経過すると、制御部２の内蔵タイマ機能の働きによりリレー回路部６のリレー接点ｒがオフし、音声発生部５、警報用発光部４、威嚇用照明装置１０Ａ…１０Ｎ、表示灯１７Ａ…１７Ｎは動作を停止し、撮影装置１Ａ…１Ｎは通常状態に撮影カメラの撮影方向及び画角を戻し、画像記録装置１２は通常の録画状態に戻ることになる。
【００５５】
ここで各撮影装置１Ａ…１Ｎの撮影カメラの撮影方向及び画角は、通常状態では例えば、エリア全体を俯瞰できるように設定されるため、賊の逃走状態を画像記録装置１２で録画することが期待できることになる。
【００５６】
尚上記実施形態１，２では他の機器と警報装置１とを組み合わせてシステム化しているが、警報装置１を単体で使用することもでき、この場合音声発生部５から発する音声の内容は、初めの数回において「動作開始しました」という内容とし、その後に「非常釦が押されました」という内容に切り替えるようにして良い。
【００５７】
上記警報装置１の音声発生部５からは上述のような内容を持った音声に加えて警報音を発するようにしても勿論良い。
【図面の簡単な説明】
【００５８】
【図１】実施形態１のシステム構成図である。
【図２】同上に用いる警報装置の構成図である。
【図３】同上に用いる警報装置の装置本体に寸法決定の説明図である。
【図４】同上に用いる警報装置の装置本体に寸法決定の説明図である。
【図５】同上に用いる警報装置の装置本体に寸法決定の説明図である。
【図６】同上に用いる警報装置の装置本体に寸法決定の説明図である。
【図７】実施形態２のシステム構成図である。
【符号の説明】
【００５９】
１Ａ，１Ｂ  警報装置
４  警報用発光部
９Ａ〜９Ｃ  撮影装置
１０Ａ，１０Ｂ  威嚇用照明装置
１１  カメラ駆動ユニット
１２  画像記録装置
１３  防犯受信機
１４Ａ，１４Ｂ  リレー制御盤
１５  プリセット
１６  ケーブル
３０  押釦スイッチ
５２  スピーカ
【図１】
2005235083.tif 000003
【図２】
2005235083.tif 000004
【図３】
2005235083.tif 000005
【図４】
2005235083.tif 000006
【図５】
2005235083.tif 000007
【図６】
2005235083.tif 000008
【図７】
2005235083.tif 000009